(57)【要約】  シート材料のロールと、ロールを受け入れるためのハウジングと、を有するシートディスペンサシステム。シート材料のロールは、キーを組み込んだ第１端部を備え、ハウジングは、ロールの第１端部を支持するように配置された取り付け部を備える。取り付け部は、ロック状態と自由状態との間で移動可能なロック装置を備える。ロック装置は、軸を中心に回転するように構成された回転可能要素と、回転可能要素と係合して回転可能要素の回転を阻止するように構成されたロック要素と、を備え、それにより、ロック要素と回転可能要素が係合すると、ロック装置は、ロック状態となり、ロック要素と回転可能要素が係合解除されると、ロック装置は、自由状態となる。取り付け部は、キーが取り付け部と係合する係合状態と、キーが取り付け部から係合解除される係合解除状態との間でロールが移動可能なように配置され、それにより、ロールが係合解除状態から係合状態に移動すると、ロールの第１端部は、ロック装置を自由状態に移動させ、それによって、回転可能要素の回転を可能にする。ロック要素と回転可能要素は、ロック要素及び回転可能要素が回転可能要素の回転軸に沿った方向に互いに向かって相対移動することによって係合するように構成される。
2020533253.tif 000002
【特許請求の範囲】
【請求項１】
シート材料のロールと、前記ロールを受け入れるためのハウジングと、を有するシートディスペンサシステムであって、
シート材料の前記ロールが、キーを組み込む第１端部を備え、
前記ハウジングが、前記ロールの前記第１端部を支持するように配置された取り付け部を備え、
前記取り付け部が、ロック状態と自由状態との間で移動可能なロック装置を備え、
前記ロック装置が、軸を中心に回転するように構成された回転可能要素と、前記回転可能要素と係合して前記回転可能要素の回転を阻止するように構成されたロック要素と、を備え、それにより、前記ロック要素と前記回転可能要素が係合すると、前記ロック装置が前記ロック状態となり、前記ロック要素と前記回転可能要素が係合解除されると、前記ロック装置が前記自由状態となり、
前記取り付け部が、前記キーが取り付け部に係合する係合状態と、前記キーが取り付け部から係合解除される係合解除状態との間で前記ロールが移動可能なように配置され、それにより、前記ロールが前記係合解除状態から前記係合状態に移動すると、前記ロールの前記第１端部が前記ロック装置を前記自由状態に移動させ、それによって前記回転可能要素の回転を可能にし、
前記ロック要素と前記回転可能要素が、前記ロック要素及び前記回転可能要素が前記回転可能要素の前記回転軸に沿った方向に互いに向かって相対移動することによって係合するように構成されている、シートディスペンサシステム。
【請求項２】
前記取り付け部が、前記ロック装置を、前記回転可能要素の回転が阻止される前記ロック状態に付勢するように配置された付勢機構を備え、選択的に
前記付勢機構が、前記ロック要素を付勢して前記回転可能要素と係合させる、又は、その逆を行うように構成されている、請求項１に記載のシートディスペンサシステム。
【請求項３】
前記取り付け部が、前記回転可能要素が自由に回転するとき、前記ハウジング内の前記ロールの回転が許可されるように構成され、選択的に、前記回転可能要素が、前記ロールの前記第１端部を支持するように構成されている、請求項１又は２に記載のシートディスペンサシステム。
【請求項４】
前記ロック要素及び回転可能要素が、前記ロック要素が前記回転可能要素の前記回転軸に沿った方向に前記回転可能要素に向かって相対移動すると係合するように構成された突起及び対応する凹部を備え、それにより、前記突起が前記対応する凹部に係合すると、前記回転可能要素の回転が阻止される、請求項１から３のいずれか一項に記載のシートディスペンサシステム。
【請求項５】
前記ロック装置が、前記ロック状態に対応する複数の構成を含む、請求項１から４のいずれか一項に記載のシートディスペンサシステム。
【請求項６】
前記ロック要素及び回転可能要素が、前記ロック要素が前記回転可能要素に向かって前記回転可能要素の前記回転軸に沿った方向に相対移動すると、係合するように構成された複数の突起及び対応する凹部を備え、それにより、前記突起が前記対応する凹部と係合すると、前記回転可能要素の回転が阻止される、請求項５に記載のシートディスペンサシステム。
【請求項７】
前記突起及び対応する凹部が、前記回転可能要素の前記回転軸を中心とする円形配置で設けられている、請求項６に記載のシートディスペンサシステム。
【請求項８】
前記１つ又は複数の突起及び前記１つ又は複数の凹部が、前記ロック要素と前記回転可能要素が接触するように付勢されると自動位置合わせするように配置されている、請求項４から７のいずれか一項に記載のシートディスペンサシステム。
【請求項９】
前記ロック要素が、前記ロールが前記係合解除状態から前記係合状態に移動すると、前記ロールの前記第１端部の移動によって前記回転可能要素との係合から外れて引っ込むように構成され、選択的に、前記ロールが前記係合解除状態から前記係合状態に移動すると、前記ロールの前記第１端部が、前記ロック要素の一部に当接して前記ロック要素を前記回転可能要素から係合解除するように構成されている、請求項１から８のいずれか一項に記載のシートディスペンサシステム。
【請求項１０】
前記キーが１つ又は複数の突起を含み、前記取り付け部が、前記ロールの前記第１端を支持するために前記キーの前記１つ又は複数の突起を受け入れるように構成された１つ又は複数の対応するキー孔を画定し、選択的に、前記回転可能要素が、前記１つ又は複数のキー孔を含み、選択的に、前記第１端部の前記キーが、前記ロック要素の一部に当接して前記ロック要素を前記回転可能要素から係合解除するように構成されている、請求項９に記載のシートディスペンサシステム。
【請求項１１】
前記ハウジングが、前記ロールの第２端を支持するように配置された支持部をさらに備え、前記取り付け部が、前記取り付け部と前記支持部が前記ハウジング内の前記ロールを支持するように位置調整されている動作位置と、前記取り付け部と前記支持部が前記ハウジング内の前記ロールの支持を阻止するように位置調整されていない装填位置と、を規定するように前記ハウジングに枢動可能に連結された傾斜部材をさらに備え、選択的に、前記取り付け部が、前記装填位置から前記動作位置への前記傾斜部材の移動が阻止されるブロック状態と、前記装填位置から前記動作位置への前記傾斜部材の移動が許可される非ブロック状態との間で移動可能なブロック装置をさらに備え、前記取り付け部が、前記ロールが前記係合解除状態から前記係合状態に移動すると、前記ロールの前記第１端部が前記ブロック装置を前記非ブロック状態に移動させるように配置され、それによって前記装填位置から前記動作位置への前記傾斜部材の移動が可能になる、請求項１から１０のいずれか一項に記載のシートディスペンサシステム。
【請求項１２】
前記ブロック装置が、前記ブロック装置を前記ブロック状態から前記非ブロック状態に移動させるために前記ロールの前記第１端部によって作動可能なブロッキング要素を備え、前記ロック要素及び前記ブロッキング要素が、同じ構成要素によって構成される、請求項１０に記載のシートディスペンサシステム。
【請求項１３】
シート材料のロールと、前記ロールを受け入れるためのハウジングと、を有するシートディスペンサシステム用の取り付けシステムであって、
キーを組み込んだシート材料のロールの第１端部と、
ハウジングの対応する取り付け部であり、前記ロールの前記第１端部を支持するように配置された取り付け部と、を備え、
前記取り付け部が、ロック状態と自由状態との間で移動可能なロック装置を備え、
前記ロック装置が、軸を中心に回転するように構成された回転可能要素と、前記回転可能要素と係合して前記回転可能要素の回転を阻止するように構成されたロック要素と、を備え、それにより、前記ロック要素と前記回転可能要素が係合すると、前記ロック装置が前記ロック状態となり、前記ロック要素と前記回転可能要素が係合解除されると、前記ロック装置が前記自由状態となり、
前記取り付け部が、前記ロールの前記第１端部が、前記キーが前記取り付け部に係合する係合状態と、前記キーが前記取り付け部から係合解除される係合解除状態との間で移動可能なように配置され、それにより、前記ロールの前記第１端部が、前記係合解除状態から前記係合状態に移動すると、前記第１端部が、前記ロック装置を前記自由状態に移動させ、それによって前記回転可能要素の回転を可能にし、
前記ロック要素と前記回転可能要素が、前記ロック要素及び前記回転可能要素が前記回転可能要素の前記回転軸に沿って互いに向かう方向に相対移動することによって係合するように構成されている、取り付けシステム。
【請求項１４】
シート材料のロールを受け入れるためのハウジングを備え、前記ロールがキーを組み込んだ第１端部を備えるシートディスペンサであって、
前記ハウジングが、前記ロールの前記第１端部を支持するように配置された取り付け部を備え、
前記取り付け部が、ロック状態と自由状態との間で移動可能なロック装置を備え、
前記ロック装置が、軸を中心に回転するように構成された回転可能要素と、前記回転可能要素と係合して前記回転可能要素の回転を阻止するように構成されたロック要素と、を備え、それにより、前記ロック要素と前記回転可能要素が係合すると、前記ロック装置が前記ロック状態となり、前記ロック要素と前記回転可能要素が係合解除されると、前記ロック装置が前記自由状態となり、
前記取り付け部が、前記キーが前記取り付け部に係合する係合状態と、前記キーが前記取り付け部から係合解除される係合解除状態との間で前記ロールの前記第１端部が移動可能なように配置され、それにより、前記ロールの前記第１端部が、前記係合解除状態から前記係合状態に移動すると、前記第１端部が、前記ロック装置を前記自由状態に移動させ、それによって前記回転可能要素の回転を可能にし、
前記ロック要素と前記回転可能要素が、前記ロック要素及び前記回転可能要素が、前記回転可能要素の前記回転軸に沿った方向に互いに向かって相対移動することによって係合するように構成されている、シートディスペンサ。
【請求項１５】
前記ハウジングが、前記ロールの第２端を支持するように配置された支持部をさらに備え、前記取り付け部が、前記取り付け部と前記支持部が前記ハウジング内の前記ロールを支持するように位置調整されている動作位置と、前記取り付け部と前記支持部が前記ハウジング内の前記ロールの支持を阻止するように位置調整されていない装填位置とを規定するように前記ハウジングに枢動可能に連結された傾斜部材をさらに備え、
前記取り付け部が、前記装填位置から前記動作位置への前記傾斜部材の移動が阻止されるブロック状態と、前記装填位置から前記動作位置への前記傾斜部材の移動が許可される非ブロック状態との間で移動可能なブロック装置をさらに備え、
前記取り付け部が、前記ロールが前記係合解除状態から前記係合状態に移動すると、前記ロールの前記第１端部が前記ブロック装置を前記非ブロック状態に移動させるように配置され、それによって前記装填位置から前記動作位置への前記傾斜部材の移動が可能になる、請求項１４に記載のシートディスペンサ。
【請求項１６】
請求項１４又は１５に記載のシートディスペンサでのシート材料の交換用ロールの使用法であって、前記交換用ロールが１つ又は複数の取り付け構造を備え、前記ディスペンサの前記取り付け部が、前記交換用ロールの前記１つ又は複数の構造を支持するように構成された１つ又は複数の相補的な構造を備え、前記交換用ロールの前記１つ又は複数の取り付け構造を前記シートディスペンサの前記取り付け部の前記１つ又は複数の相補的な構造に取り付けることを含む、使用法。
【請求項１７】
前記シートディスペンサの前記取り付け部が、前記ロック装置を前記ロック状態に付勢すること、前記傾斜部材又は傾斜部材を前記装填位置に向かって付勢すること、及び、前記ブロック装置又はブロック装置を前記ブロック状態に付勢することのうちの少なくとも１つを行うように配置された付勢機構を備える、請求項１４又は１５に記載のシートディスペンサからシート材料のロールを除去する方法であって、
ａ．前記ハウジングの前記取り付け部からシート材料のロールを取り外すステップと、
ｂ．前記付勢機構が前記ロック装置を前記ロック状態に付勢するように配置されると、前記ロック装置が、前記付勢機構の前記付勢作用の下で、前記回転可能要素の回転が阻止される前記ロック状態に移動するように、前記ロック装置を移動のために解放し、前記付勢機構が前記傾斜部材を前記装填位置に向かって付勢するように配置されると、前記傾斜部材が、前記付勢機構の前記付勢作用の下で、前記動作位置から前記装填位置に移動するように、前記傾斜部材を移動のために解放し、前記付勢機構が前記ブロック装置を前記ブロック状態に付勢するように配置されると、前記ブロック装置が、前記付勢機構の前記付勢作用の下で、前記傾斜部材の前記装填位置から前記動作位置への移動が阻止される前記ブロック状態に移動するように、前記ブロック装置を移動のために解放するステップと、含む、方法。
【請求項１８】
請求項１４又は１５に記載のシートディスペンサで使用するための材料の交換用ロールであって、前記材料の交換用ロールが、前記ブロック装置が前記非ブロック状態若しくはブロック装置が非ブロック状態にあるとき及び／又は前記ロック装置が前記自由状態にあるとき、前記シートディスペンサの前記取り付け部によって支持されるように配置された１つ又は複数の取り付け構造を含む、材料の交換用ロール。
【請求項１９】
請求項１４又は１５に記載のシートディスペンサ及び材料の交換用ロールを備えるシートディスペンサシステムであって、前記材料の交換用ロールが、前記ブロック装置が前記非ブロック構成若しくはブロック装置が非ブロック構成にあるとき及び／又は前記ロック装置が前記自由状態にあるとき、前記シートディスペンサの前記取り付け部によって支持されるように配置された１つ又は複数の取り付け構造を含む、シートディスペンサシステム。
【請求項２０】
請求項１４又は１５に記載のシート材料の交換用ロールをシートディスペンサに取り付ける方法であって、
ａ．キーを前記係合解除状態から前記係合状態に移動させ、それにより前記ブロック装置が前記非ブロック状態に移動して、若しくは、ブロック装置が非ブロック状態に移動して、前記非ブロック状態で前記装填位置から前記動作位置への前記傾斜部材の移動が許可されるステップ、及び／又は、
ｂ．前記ロック装置が前記回転可能要素の回転が可能になる前記自由状態に移動するように、キーを前記係合解除状態から前記係合状態に移動させるステップと、
ｃ．前記交換用ロールの第１端を前記ディスペンサの前記取り付け部に取り付けるステップと、を含む方法。
【発明の詳細な説明】
【技術分野】
【０００１】
本開示は、シート材料のロール用のシートディスペンサ、シート材料のロールを有するシートディスペンサシステム、シート材料のロールを有するシートディスペンサ用の取り付けシステム及びそのようなディスペンサ及びシステムで使用するためのロールに関する。
【背景技術】
【０００２】
従来、シートディスペンサは、ハウジングと、粘着フィルム，ホイル及び耐油紙などのシート材料のロールをハウジングに取り外し可能に取り付けるための取り付け部と、を備える。取り付け部は、ハウジングに対するロールの回転運動を可能にし、それにより、ロールに巻き付けられた材料を供出のために巻き出すことができる。
【０００３】
材料がロールから排出されると、ロールが取り外され、新しい材料を備えた未使用のロールがハウジングに取り付けられる。
【０００４】
材料の製造業者にとっては、品質が確実に維持されるように、特定の材料のみがハウジング内で確実に使用されることが重要である場合がある。一部の知られているディスペンサでは、間違った材料、又は、正しくないグレード若しくは寸法の材料を含むロールがディスペンサに装填され、ディスペンサの使いやすさが損なわれる可能性がある。
【０００５】
国際公開第２０１１／０３６４３０号は、ハウジングと、リールに関連付けられたカップリングと、カップリングが取り付け状態と取り外し状態との間で移動可能なようにカップリングをハウジングに取り外し可能に取り付けるための取り付け部と、を備えるディスペンサを開示している。カップリングは、キーを含む。取り付け部は、ロック状態と自由状態との間で移動可能なロック装置を含む。リールディスペンサは、カップリングが取り外された状態から取り付けられた状態に移動すると、キーがロック装置を自由状態に移動させ、ハウジングに対するカップリングの回転を可能にするように配置されている。
【０００６】
このようなディスペンサでは、ロック装置のロックは、重力に依存して、ロック装置をロックされた位置に移動させる、すなわちロックを行う。
【０００７】
本開示は、従来技術の問題を克服又は少なくとも軽減して、改良されたディスペンサを提供することを目的とする。
【先行技術文献】
【特許文献】
【０００８】
【特許文献１】国際公開第２０１１／０３６４３０号
【発明の概要】
【０００９】
本発明の第１の態様によると、シート材料のロールと、ロールを受け入れるためのハウジングとを有するシートディスペンサシステムが提供され、シート材料のロールは、キーを組み込む第１端部を備え、ハウジングは、ロールの第１端部を支持するように配置された取り付け部を備え、取り付け部は、ロック状態と自由状態との間で移動可能なロック装置を備え、ロック装置は、軸の周りを回転するように構成された回転可能要素と、回転可能要素と係合して回転可能要素の回転を阻止するように構成されたロック要素とを含み、それにより、ロック要素と回転可能要素が係合すると、ロック装置がロック状態となり、ロック要素と回転可能要素が係合解除されると、ロック装置が自由状態となり、取り付け部は、キーが取り付け部に係合する係合状態と、キーが取り付け部から係合解除される係合解除状態との間でロールが移動可能であるように配置され、それにより、ロールが係合解除状態から係合状態に移動すると、ロールの第１端部がロック装置を自由状態に移動させ、それによって回転可能要素の回転を可能にし、ロック要素と回転可能要素は、ロック要素及び回転可能要素が、回転可能要素の回転軸に沿った方向に互いに向かって相対移動することによって係合するように構成されている。
【００１０】
一部の実施形態では、ロールがハウジングに装填されると、回転可能要素の回転軸は、ロールの回転軸に沿って設けられる。加えて、一部の実施形態では、ロールをディスペンサハウジングに装填するために、ロールの長手方向軸に沿った方向に取り付け部に向かって力を加えて、ロールを取り付け部に固定する。このようにして、ロールを取り付け部に装填するためのロールの軸方向移動（すなわち、回転可能要素の回転軸にも沿っているロールの回転軸に沿った移動）を使用して、ロック要素と回転可能要素を互いに係合解除することができ、それにより、回転可能要素が回転するのが自由になる。
【００１１】
回転可能要素とロック要素は、ロック要素及び回転可能要素が回転可能要素の回転軸に沿った方向に互いに向かって相対移動することによって係合するように構成されているため、ロールの移動を使用して、回転可能要素とロック要素との係合を解除することができる。この構成は、ロールによって加えられる力の方向を、異なる方向、例えば、ロック要素と回転可能要素との係合を解除するために、ロールの長手方向軸を横切る又は回転可能要素の回転軸を横切る方向の力に変換することを必要としない。このようにして、より堅牢なロック装置が提供される。
【００１２】
取り付け部は、ロック装置を、回転可能要素の回転が阻止されるロック状態に付勢するように配置された付勢機構を備えることができる。
【００１３】
このようにして、回転可能要素の回転を可能にするために、付勢機構の作用に抗して、ロック状態から自由状態に能動的に移動しなければならない、より信頼性の高いロック装置が提供される。
【００１４】
付勢機構は、ばね又は他の適切な弾性部材によって構成されてもよい。
【００１５】
付勢機構のばね定数は、所定の値になるように選択することができ、例えば、約３Ｎになるように選択することができる。これは、ロールをディスペンサに装填又は取り外すときに適切な触覚フィードバックがユーザに提供されることを確実にするために有利である。
【００１６】
付勢機構は、ロック要素を付勢して回転可能要素と係合させるように又はその逆を行うように構成されている。
【００１７】
取り付け部は、回転可能要素が自由に回転するとき、ハウジング内でのロールの回転が許可されるように構成されてもよい。
【００１８】
回転可能要素は、ロールの第１端部を支持するように構成されてもよい。
【００１９】
このようにして、ロック装置が自由状態にあるとき、すなわち回転可能部が自由に回転するとき、回転可能部の回転がロールの回転を引き起こし、逆もまた同様である。
【００２０】
ロック要素は、回転に抗するように固定されてもよい。
【００２１】
したがって、ロック要素と回転可能要素が係合されると、回転可能要素の回転が阻止される。
【００２２】
ロック要素及び回転可能要素は、ロック要素が回転可能要素の回転軸に沿った方向に回転可能要素に向かって相対移動すると、係合するように構成された突起及び対応する凹部を備えることができ、それにより、突起が対応する凹部に係合すると、回転可能要素の回転が阻止される。
【００２３】
ロック装置は、ロック状態に対応する複数の構成を備えることができる。
【００２４】
このようにして、回転可能要素とロック要素を、複数の相対的な向きで係合させることができる。その結果、ロック装置のロックが容易になる。
【００２５】
ロック要素及び回転可能要素は、複数の突起及び対応する凹部を備え、これらの突起は、ロック要素が回転可能要素の回転軸に沿った方向に回転可能要素に向かって相対移動すると係合するように構成され、それにより、突起が対応する凹部と契合すると、回転可能要素の回転が阻止される。
【００２６】
突起及び対応する凹部は、回転可能要素の回転軸を中心とする円形配置で設けられてもよい。
【００２７】
有利には、そのような円形配置は、ロック装置のロック状態に対応する構成の数を最大にする。
【００２８】
複数の突起は、回転可能要素又はロック要素上の歯の列によって構成されてもよい。複数の凹部は、ロック要素又は回転可能要素上のスプラインの列のスプライン間に設けられてもよい。
【００２９】
１つ又は複数の突起及び１つ又は複数の凹部は、ロック要素及び回転可能要素が付勢されて接触するときに自動位置合わせするように配置されてもよい。
【００３０】
このようにして、回転可能要素とロック要素の相対的な向きに関係なく、ロック装置のロックが容易になる。
【００３１】
ロック要素は、ロールが係合解除位置から係合位置に移動するとき、ロールの第１端部の移動によって回転可能要素との係合から外れて引っ込むように構成されてもよい。
【００３２】
ロールが係合解除状態から係合状態に移動すると、ロールの第１端部は、ロック要素の一部に当接して、ロック要素を回転可能要素から係合解除するように構成されてもよい。
【００３３】
キーは、１つ又は複数の突起を含むことができる。取り付け部は、キーの１つ又は複数の突起を受け入れてロールの第１端を支持するように構成された１つ又は複数の対応するキー孔を画定することができる。
【００３４】
回転可能要素は、１つ又は複数のキー孔を含むことができる。
【００３５】
第１端部のキーは、ロック要素の一部に当接して、ロック要素を回転可能要素から係合解除するように構成されてもよい。
【００３６】
回転可能要素は、ロールが係合解除位置から係合位置に移動するとき、ロールの第１端部の移動によってロック要素との係合から外れて引っ込むように構成されてもよい。
【００３７】
ロールが係合解除状態から係合状態に移動すると、ロールの第１端部は、回転可能要素の一部に当接して、回転可能要素をロック要素から係合解除するように構成されてもよい。
【００３８】
キーは、１つ又は複数の窪み又は凹部を含むことができる。取り付け部は、ロールの第１端を支持するために、キーの１つ又は複数の窪み又は凹部によって受け取られるように構成された１つ又は複数の対応する構造を含むことができる。
【００３９】
回転可能要素は、１つ又は複数の構造を含むことができる。
【００４０】
ロールの第１端部の軸方向端面は、回転可能要素と係合して、回転可能要素をロック要素との係合から外れるように移動させるように構成されてもよい。
【００４１】
ハウジングは、ロールの第２端を支持するように配置された支持部支持部をさらに備えることができる。取り付け部は、取り付け部と支持部支持部がハウジング内でロールを支持するように位置調整されている動作位置と、取り付け部と支持部がハウジング内でのロールの支持を阻止するように位置調整されていない装填位置と、を規定するようにハウジングに枢動可能に連結された傾斜部材をさらに備えることができる。
【００４２】
取り付け部は、装填位置から動作位置への傾斜部材の移動が阻止されるブロック状態と、装填位置から動作位置への傾斜部材の移動が許可される非ブロック状態との間で移動可能なブロック装置をさらに備えることができる。取り付け部は、ロールが係合解除状態から係合状態に移動したときに、ロールの第１端部がブロック装置を非ブロック状態に移動させ、それによって装填位置から動作位置への傾斜部材の移動を可能とする。
【００４３】
ユーザがロールをディスペンサに挿入すると、ロールの第１端部のキーが移動して取り付け部と係合する。キーが取り付け部と係合すると、ロールの第１端部がブロック装置を非ブロック状態に移動させる。これにより、傾斜部材が枢動軸を中心に回転するように解放され、それによって、傾斜部材の装填位置と動作位置との間の移動が許可される。
【００４４】
傾斜部材が回転するように解放されると、ユーザがロールをディスペンサに挿入するために加える力により、傾斜部材が装填位置から動作位置へと枢動する。装填位置は、ディスペンサへのロールの装填を容易にするように構成されてもよく、例えば、装填位置では、傾斜部材は、ユーザに向かって角度が付けられていてもよい。取り付け部のこのような構成により、ロールを取り付け部と位置調整するようにユーザに求めるのではなく、取り付け部がロールと位置合わせ可能になっている、ディスペンサのユーザは、ロールを挿入しやすくなる。
【００４５】
傾斜部材が動作位置に固定される場合、傾斜部材は、支持部と位置調整されたままである。その結果、ユーザがロールを取り付け部と位置調整する必要があるため、ロールをディスペンサに装填することがユーザにとってより困難になる可能性がある。
【００４６】
さらに、ロールが取り付け部と係合するためには、ロールは、取り付け部と係合するように構成されたキーを備えていなければならず、それにより、キーが係合すると、ロールの第１端部が取り付け部のブロック装置を非ブロック状態に移動させる。このようにして、装填位置から動作位置への傾斜部材の移動が許可される。ユーザが、必要なキーを備えていないロールをディスペンサに装填しようとする場合、ブロック装置のブロックを解除することができず、したがって装填状態から動作状態への傾斜部材の移動が阻止される。
【００４７】
この場合、取り付け部と支持部は位置調整されないままであり、したがって、ハウジング内でのロールの支持が阻止される。その結果、必要なキーを備えるロールのみがハウジングに取り付けられ得る。このようにして、確実に、正しい材料、又は、正しいグレード若しくは寸法の材料を含むロールのみをディスペンサに装填することができるようにすることが可能である。
【００４８】
ブロック装置は、ブロック装置をブロック状態から非ブロック状態に移動させるために、ロールの第１端部によって作動可能なブロッキング要素を備えることができる。ロック要素及びブロッキング要素は、同じ構成要素によって構成されてもよい。
【００４９】
ブロック装置は、ブロック装置をブロック状態から非ブロック状態に移動させるために、ロールの第１端部によって作動可能なブロッキング要素を備えることができる。回転可能要素及びブロッキング要素は、同じ構成要素によって構成されてもよい。
【００５０】
ブロック装置とロック装置の両方を備える実施形態では、材料のロールを取り付け部に装填する行為は、回転可能要素を自由に回転させるロック装置のロック解除と、傾斜部材をその枢動軸を中心に自由に回転させるブロック装置のブロック解除と、の２つの効果をもたらすことができる。換言すると、ユーザによる単一の行為が結果として取り付け部において２つの効果をもたらす。
【００５１】
本発明の第２の態様によると、シート材料のロールと、ロールを受け入れるためのハウジングと、を有するシートディスペンサ用の取り付けシステムが提供され、取り付けシステムは、キーを組み込んだシート材料のロールの第１端部と、ハウジングの対応する取り付け部であって、ロールの第１端部を支持するように配置された取り付け部と、を備え、取り付け部は、ロック状態と自由状態との間で移動可能なロック装置を備え、ロック装置は、軸を中心に回転するように構成された回転可能要素と、回転可能要素と係合して回転可能要素の回転を阻止するように構成されたロック要素と、を備え、それにより、ロック要素と回転可能要素が係合すると、ロック装置がロック状態となり、ロック要素と回転可能要素が係合解除されると、ロック装置が自由状態となり、取り付け部は、キーが取り付け部と係合する係合状態と、キーが取り付け部から係合解除される係合解除状態との間でロールの第１端部が移動可能なように配置され、それにより、ロールの第１端部が係合解除状態から係合状態に移動すると、第１端部がロック装置を自由状態に移動させ、それによって回転可能要素の回転を可能にし、ロック要素と回転可能要素は、ロック要素及び回転可能要素が回転可能要素の回転軸に沿って互いに向かう方向に相対移動することによって係合するように構成されている。
【００５２】
本発明の第３の態様によると、シート材料のロールであって、キーを組み込んだ第１端部を備えるロールを受け入れるためのハウジングを備えるシートディスペンサが提供され、ハウジングは、前記ロールの前記第１端部を支持するように配置された取り付け部を備え、取り付け部は、ロック状態と自由状態との間で移動可能なロック装置を備え、ロック装置は、軸を中心に回転するように構成された回転可能要素と、回転可能要素と係合して回転可能要素の回転を阻止するように構成されたロック要素と、を含み、それにより、ロック要素と回転可能要素が係合すると、ロック装置がロック状態となり、ロック要素と回転可能要素が係合解除されると、ロック装置が自由状態となり、取り付け部は、前記ロールの前記第１端部が、前記キーが取り付け部と係合する係合状態と、前記キーが取り付け部から係合解除される係合解除状態との間で移動可能であるように配置され、それにより、前記ロールの第１端部が係合解除状態から係合状態に移動すると、前記第１端部がロック装置を自由状態に移動させ、それによって、回転可能要素の回転を可能にし、ロック要素と回転可能要素は、ロック要素及び回転可能要素が回転可能要素の回転軸に沿った方向に互いに向かって相対移動することによって係合するように構成されている。
【００５３】
ハウジングは、ロールの第２端を支持するように配置された支持部をさらに備えることができる。取り付け部は、取り付け部と支持部がハウジング内でロールを支持するように位置調整されている動作位置と、取り付け部と支持部がハウジング内でのロールの支持を阻止するように位置調整されていない装填位置と、を規定するようにハウジングに枢動可能に連結された傾斜部材をさらに備えることができる。取り付け部は、装填位置から動作位置への傾斜部材の移動が阻止されるブロック状態と、装填位置から動作位置への傾斜部材の移動が許可される非ブロック状態との間で移動可能なブロック装置をさらに備えることができる。取り付け部は、ロールが係合解除状態から係合状態に移動したときに、ロールの第１端部がブロック装置を非ブロック状態に移動させ、それによって装填位置から動作位置への傾斜部材の移動を可能とする。
【００５４】
ロールは、キーを有する第１端部を含むことができる。キーは、ロールの第１端部の軸方向端面に１つ又は複数の窪み又は凹部を含むことができる。１つ又は複数の窪み又は凹部は、ディスペンサハウジングの取り付け部によって提供される１つ又は複数の対応する構造を受け入れるように構成されてもよい。
【００５５】
本発明の第４の態様によると、本発明の第３の態様によるシートディスペンサで使用するための材料の交換用ロールが提供され、材料の交換用ロールは、ロック装置が自由状態にあるときにシートディスペンサの取り付け部によって支持されるように配置された１つ又は複数の取り付け構造を含む。
【００５６】
本発明の第５の態様によると、本発明の第３の態様によるシートディスペンサと、材料の交換用ロールと、を備えるシートディスペンサシステムが提供され、材料の交換用ロールは、ロック装置が自由状態にあるときにシートディスペンサの取り付け部によって支持されるように配置された１つ又は複数の取り付け構造を含む。
【００５７】
本発明の第６の態様によると、本発明の第３の態様によるシートディスペンサでのシート材料の交換用ロールの使用法が提供され、交換用ロールは、１つ又は複数の取り付け構造を備え、ディスペンサの取り付け部は、交換用ロールの１つ又は複数の構造を支持するように構成された１つ又は複数の相補的な構造を備え、本使用法は、交換用ロールの１つ又は複数の取り付け構造をシートディスペンサの取り付け部の１つ又は複数の相補的な構造に取り付けることを含む。
【００５８】
本発明の第７の態様によると、本発明の第３の態様によるシート材料の交換用ロールをシートディスペンサに取り付ける方法が提供され、本方法は、ａ）ロック装置が回転可能要素の回転が許可される自由状態に移動するように、キーを係合解除状態から係合状態に移動させるステップと、ｂ）交換用ロールの第１端をディスペンサの取り付け部に取り付けるステップと、を含む。
【００５９】
本発明の第８の態様によると、本発明の第３の態様によるシートディスペンサからシート材料のロールを除去する方法が提供され、シートディスペンサの取り付け部がロック装置をロック状態に付勢するように構成された付勢機構を備え、本方法は、ａ）シート材料のロールをハウジングの取り付け部から取り外すステップと、ｂ）ロック装置が、付勢機構の付勢作用の下で、回転可能要素の回転が阻止されるロック状態に移動するように、ロック装置を移動のために解放するステップと、を含む。
【００６０】
本発明の第９の態様によると、本発明の第３の態様によるシートディスペンサで使用するための材料の交換用ロールが提供され、材料の交換用ロールは、ブロック装置が非ブロック状態にあるとき及び／又はロック装置が自由状態にあるとき、シートディスペンサの取り付け部によって支持されるように配置された１つ又は複数の取り付け構造を含む。
【００６１】
本発明の第１０の態様によると、本発明の第３の態様によるシートディスペンサと、材料の交換用ロールと、を備えるシートディスペンサシステムが提供され、材料の交換用ロールは、ブロック装置が非ブロック装置にあるとき及び／又はロック装置が自由状態にあるとき、シートディスペンサの取り付け部によって支持されるように構成された１つ又は複数の取り付け構造を含む。
【００６２】
本発明の第１１の態様によると、本発明の第３の態様によるシート材料の交換用ロールをシートディスペンサに取り付ける方法が提供され、本方法は、ａ）ブロック装置が、装填位置から動作位置への傾斜部材の移動が許可される非ブロック状態に移動するように、キーを係合解除状態から係合状態に移動させるステップ、及び／又はｂ）ロック装置が、回転可能要素の回転が許可される自由状態に移動するように、キーを係合解除状態から係合状態に移動させ、交換用ロールの第１端をディスペンサの取り付け部に取り付けるステップ、を含む。
【００６３】
本発明の第１２の態様によると、本発明の第３の態様によるシートディスペンサからシート材料のロールを除去する方法が提供され、シートディスペンサの取り付け部が傾斜部材を装填位置に向けて付勢するように構成された付勢機構を備え、本方法は、ａ）ハウジングの取り付け部からシート材料のロールを取り外すステップと、ｂ）傾斜部材が付勢機構の付勢作用の下で動作位置から装填位置に移動するように、傾斜部材を移動のために解放するステップと、を含む。
【００６４】
本発明の第１３の態様によると、本発明の第３の態様によるシートディスペンサからシート材料のロールを除去する方法が提供され、シートディスペンサの取り付け部がブロック装置をブロック状態に付勢するように配置された付勢機構を備え、本方法は、ａ）ハウジングの取り付け部からシート材料のロールを取り外すステップと、ｂ）ブロック装置が、付勢機構の付勢作用の下で、装填位置から動作位置への傾斜部材の移動が阻止されるブロック状態に移動するように、ブロック装置を移動のために解放するステップと、を含む。
【００６５】
本発明の第１４の態様によると、シート材料のロールと、ロールを受け入れるためのハウジングと、を有するシートディスペンサシステムが提供され、シート材料のロールが、キーを組み込んだ第１端部を備え、ハウジングが、ロールの第１端部を支持するように配置された取り付け部及びロールの第２端を支持するように配置された支持部を備え、取り付け部は、取り付け部と支持部がハウジング内でロールを支持するように位置調整されている動作位置と、取り付け部と支持部がハウジング内でロールの支持を阻止するように位置調整されていない装填位置と、を規定するようにハウジングに枢動可能に連結された傾斜部材を備え、取り付け部は、装填位置から動作位置への傾斜部材の移動が阻止されるブロック状態と、装填位置から動作位置への傾斜部材の移動が許可される非ブロック状態との間で移動可能なブロック装置を備え、取り付け部は、キーが取り付け部と係合する係合状態と、キーが取り付け部から係合解除される係合解除状態との間でロールが移動可能なように配置され、それにより、ロールが係合解除状態から係合状態に移動すると、ロールの第１端部がブロック装置を非ブロック状態に移動させ、それによって装填位置から動作位置への傾斜部材の移動が可能になる。
【００６６】
ユーザがロールをディスペンサに挿入すると、ロールの第１端部のキーが移動して取り付け部と係合する。キーが取り付け部と係合すると、ロールの第１端部がブロック装置を非ブロック状態に移動させる。これにより、傾斜部材が枢動軸を中心に回転するように解放され、それによって、傾斜部材の装填位置と動作位置との間の移動が許可される。
【００６７】
傾斜部材が回転するように解放されると、ユーザがロールをディスペンサに挿入するために加える力により、傾斜部材が装填位置から動作位置へと枢動する。装填位置は、ディスペンサへのロールの装填を容易にするように構成されてもよく、例えば、装填位置では、傾斜部材は、ユーザに向かって角度が付けられていてもよい。取り付け部のこのような構成により、ロールを取り付け部と位置調整するようにユーザに求めるのではなく、取り付け部がロールと位置合わせ可能になっている、ディスペンサのユーザは、ロールを挿入しやすくなる。
【００６８】
傾斜部材が動作位置に固定される場合、傾斜部材は、支持部と位置調整されたままである。その結果、ユーザがロールを取り付け部と位置調整する必要があるため、ロールをディスペンサに装填することがユーザにとってより困難になる可能性がある。
【００６９】
さらに、ロールが取り付け部と係合するためには、ロールは、取り付け部と係合するように構成されたキーを備えていなければならず、それにより、キーが係合すると、ロールの第１端部が取り付け部のブロック装置を非ブロック状態に移動させる。このようにして、装填位置から動作位置への傾斜部材の移動が許可される。ユーザが、必要なキーを備えていないロールをディスペンサに装填しようとする場合、ブロック装置のブロックを解除することができず、したがって装填状態から動作状態への傾斜部材の移動が阻止される。
【００７０】
この場合、取り付け部と支持部は位置調整されないままであり、したがって、ハウジング内でのロールの支持が阻止される。その結果、必要なキーを備えるロールのみがハウジングに取り付けられ得る。このようにして、確実に、正しい材料、又は、正しいグレード若しくは寸法の材料を含むロールのみをディスペンサに装填することができるようにすることが可能である。
【００７１】
位置調整されるとき、取り付け部と支持部は、ハウジングの長手方向軸に沿って位置調整されてもよい。
【００７２】
ロールが取り付け部及び支持部によって支持されるとき、ロールの軸は、ハウジングの長手方向軸に沿って設けられてもよい。換言すると、取り付け部と支持部を、ロールの長手方向軸に沿って位置調整することができる。
【００７３】
支持部は、ハウジングの軸方向長さに沿って静止していてもよく、すなわち、支持部は、ハウジング内で枢動しなくてもよい。あるいは、傾斜部及び支持部の両方が、ハウジング内で枢動可能であってもよい。
【００７４】
傾斜部材は、装填位置及び動作位置において、シート材料のロールの第１端部の軸方向端面と実質的に位置調整されてもよい。したがって、動作位置では、傾斜部材は、ハウジングの長手方向の長さによって規定される長手方向軸に対して実質的に垂直に角度が付けられていてもよい。傾斜部材は、動作位置と装填位置との間で２０〜６０°、例えば３０〜４０°、例えば３５〜４５°回転させることができる。そのため、装填位置では、傾斜部材は、ハウジングの長手方向の長さによって規定される長手方向軸に対して約３０〜７０°の角度が付けられていてもよい。その結果、ロールのディスペンサへの装填が容易になる。
【００７５】
取り付け部は、ブロック装置をブロック状態に付勢するように構成された付勢機構を備えることができる。
【００７６】
このようにして、ロールをハウジング内で支持して使用するために、付勢部材の作用に抗して、ブロック状態から非ブロック状態に能動的に移動しなければならない、より信頼性の高いブロック装置が提供される。
【００７７】
取り付け部は、傾斜部材を装填位置に向かって付勢するように構成された付勢機構を備えることができる。
【００７８】
付勢機構は、傾斜部材を装填位置に向かって付勢するように構成されてもよく、ブロック装置をブロック状態に付勢するように構成されてもよい。
【００７９】
ディスペンサは、傾斜部材を装填位置に向かって付勢するように構成された第１の付勢機構と、ブロック装置をブロック状態に付勢するように構成された別個の第２の付勢機構と、を備えることができる。
【００８０】
付勢機構は、ばね又は他の適切な弾性部材によって構成されてもよい。
【００８１】
付勢機構のばね定数は、所定の値になるように選択することができ、例えば、約３Ｎになるように選択することができる。これは、（第１の）付勢機構が重力に打ち勝って傾斜部材を装填位置に戻すことができることを確実にするのに有利である。
【００８２】
付勢機構の適切なばね定数の選択は、ディスペンサにロールを装填又は取り外すときにユーザに適切な触覚フィードバックを提供するためにも有益である。
【００８３】
傾斜部は、ロールの第１端部を支持するように構成されてもよい。
【００８４】
ブロック装置は、ブロック装置をブロック状態から非ブロック状態に移動させるために、ロールの第１端部によって作動可能なブロッキング要素を備えることができる。
【００８５】
傾斜部材は、装填状態から動作状態に移動するときに、回転円弧を通って移動することができる。ロールの第１端部によるブロッキング要素の作動は、傾斜部材の回転円弧の接線に沿った方向へのブロッキング要素の移動を含むことができる。
【００８６】
ユーザがロールをディスペンサに挿入すると、ロールの第１端部のキーが移動して取り付け部と係合し、ブロック装置をロールの第１端部によって非ブロック状態に移動させることができる。ブロック装置が非ブロック状態になると、ユーザがロールをディスペンサに挿入するために加える力により、傾斜部材は、回転軸に沿って回転し、装填位置から動作位置に移動するとき回転円弧を辿る。ユーザがロールを挿入するために加える力は、実質的に、回転円弧の接線に沿った方向であることが理解されよう。
【００８７】
ブロッキング要素の移動が実質的に回転円弧の接線に沿った方向である場合、ブロッキング要素の移動は、ユーザがロールを容器に挿入するために加える力と実質的に同じ方向である。このようにして、ユーザによって加えられる力は、ブロッキング要素の移動に単純に変換されて、ブロック装置のブロックを解除し、傾斜部材の装填構成から動作構成への移動が許可される。
【００８８】
傾斜部材は、傾斜部材が動作位置にあるとき、ハウジングの長手方向軸に実質的に直交する方向に延出し、傾斜部材が装填位置にあるとき、表面が長手方向軸に対して９０°未満の角度で延出するように構成された表面を含むことができる。ロールの第１端部によるブロッキング要素の作動は、表面に対して実質的に垂直な方向へのブロッキング要素の移動を含むことができる。
【００８９】
ロールの第１端部は、傾斜部材の表面と係合するように構成された軸方向端面を含むことができる。このようにして、ユーザが傾斜部材を装填位置から動作位置に移動させるために加えなければならない力が低減する。
【００９０】
傾斜部材が動作位置にあるとき、表面は、長手方向軸に実質的に直交する方向に延出しているが、傾斜部材の表面は、長手方向軸に対して９０°未満、例えば長手方向軸に対して９０°よりもわずかに小さくてもよいことが理解されよう。例えば、製造公差とは、わずかに短いロールがハウジングに装填されることを意味することがある。傾斜部材が付勢機構によって装填位置に向かって付勢される場合、傾斜部材を装填位置に向かって移動させるために加えられる付勢力により、確実に、わずかに短いロールがディスペンサに堅固に支持される。
【００９１】
ブロック装置は、ブロック構造を含むことができ、ブロッキング要素は、ブロック構造と係合して、装填位置から動作状態への傾斜部材の移動を阻止するように構成される。
【００９２】
ブロッキング要素の作動は、ブロック構造との係合から外れるブロッキング要素の移動を含むことができる。
【００９３】
このようにして、ブロック装置がブロック状態にあるとき、すなわち、ブロッキング要素がブロック構造と係合するとき、装填位置から動作状態への傾斜部材の移動が阻止される単純な装置が提供される。
【００９４】
ブロッキング要素は、付勢機構によってブロック構造と係合するように付勢されてもよい。
【００９５】
ブロック構造は、装填位置から動作位置への傾斜部材の移動を阻止するためにブロッキング要素と係合するように配置された１つ又は複数のストッパ部を備えることができる。
【００９６】
ブロッキング要素は、少なくとも１つの翼が延出する本体を含むことができる。少なくとも１つの翼は、ブロック装置がブロック状態にあるとき、１つ又は複数のストッパ部と係合するように配置されてもよい。
【００９７】
取り付け部は、ブロッキング要素がブロック構造との係合から外れるように及びブロック構造と係合するように移動するときに、ブロッキング要素の移動をガイドするガイド要素を備えることができる。
【００９８】
このようにブロック構造に対してブロッキング要素を正しく位置決めすることにより、ブロッキング要素とブロック構造との係合及び係合解除が容易になり、したがって、より堅牢なブロック装置が提供される。
【００９９】
取り付け部は、傾斜部が動作位置と装填位置との間で回転することができる角度を制限するように配置された１つ又は複数のストッパ要素を備えることができる。
【０１００】
したがって、最適な装填角度を取り付け部のストッパ要素の位置によって事前に決定し、設定することができ、ユーザがロールをディスペンサに装填することができる容易さを最適化する。
【０１０１】
キーは、１つ又は複数の突起を含むことができる。取り付け部は、キーの１つ又は複数の突起を受け入れてロールの第１端部を支持するように構成された１つ又は複数の対応するキー孔を画定することができる。
【０１０２】
このようにして、取り付け部のキー孔に対応するキーを有するロールのみをハウジングに適切に挿入することができる。
【０１０３】
傾斜部材は、１つ又は複数のキー孔を含むことができる。
【０１０４】
ロールが係合解除状態から係合状態に移動すると、キーは、ブロック装置を非ブロック状態に移動させることができる。
【０１０５】
ブロック装置は、ブロック装置をブロック状態から非ブロック状態に移動させるためにキーによって作動可能なブロッキング要素を備えることができる。
【０１０６】
このようにして、ロールの第１端部は、ロールが係合解除状態から係合状態に移動するときに、例えば、ブロッキング要素の作動又は移動によってブロック装置をブロック状態から非ブロック状態に移動させるように構成された突出するキー構造を含む。
【０１０７】
キーは、ロールの第１端部の軸方向端面に１つ又は複数の窪み又は凹部を含むことができる。取り付け部は、ロールの第１端部を支持するために、キーの１つ又は複数の窪み又は凹部によって受け取られるように構成された１つ又は複数の対応する構造を含むことができる。
【０１０８】
傾斜部材は、１つ又は複数の構造を含むことができる。
【０１０９】
ロールが係合解除状態から係合状態に移動すると、第１端部の軸方向端面がブロック装置を非ブロック状態に移動させることができる。
【０１１０】
ブロック装置は、ブロック装置をブロック状態から非ブロック状態に移動するために、ロールの第１端部の軸方向端面によって作動可能なブロッキング要素を備えることができる。
【０１１１】
このようにして、取り付け部の構造は、ロールが係合解除状態から係合状態に移動するときに、キーの窪み又は凹部によって受け取られる。ロールが取り付け部に向かって移動すると、ロールの第１端部の軸方向端面は、取り付け部、例えばブロッキング要素と接触する。このようにして、軸方向端面は、取り付け部、例えばブロッキング要素に力を加えるように構成され、ブロック装置をブロック状態から非ブロック状態に移動させる。
【０１１２】
ハウジングは、シート材料を切断するための切断機構を組み込んだ蓋を備えることができる。
【０１１３】
材料のロールがディスペンサハウジングに適切に装填されていない場合、蓋の操作、例えば、蓋の閉鎖が阻止され得ることが理解されよう。このようにして、材料のロールがディスペンサハウジングに適切に装填されていない場合、切断機構の動作が阻止され得る。対照的に、材料のロールがディスペンサハウジングに適切に装填されている場合、蓋の操作は、ロールによって阻止されない。
【０１１４】
ユーザがディスペンサで誤った材料のロールを使用しようとすると、取り付け部のブロック装置のブロックを解除することができないため、傾斜部材の動作位置への移動が阻止される。したがって、ロールが適切に位置決めされていないため、ロールによって蓋の閉鎖も阻止される。これは、ディスペンサの適切な操作を妨げます。
【０１１５】
傾斜部材が装填位置にあるときに、ロールの第１端が取り付け部によって支持され、ロールの第２端が支持部によって支持されるように、誤ったロールがディスペンサ内に位置決めされる可能性がある場合でも、傾斜部材の角度付けされた位置のために、ロールは、ディスペンサの長手方向軸に対して角度付けされた位置を占める可能性が高い。ロールのそのような角度付けされた位置決めはまた、蓋の閉鎖を妨げ、したがってディスペンサの適切な操作を阻止することがある。
【０１１６】
取り付け部は、ロック状態と自由状態との間で移動可能なロック装置をさらに備えることができる。ロック装置は、軸を中心に回転するように構成された回転可能要素と、回転可能要素と係合して回転可能要素の回転を阻止するように構成されたロック要素と、を備え、ロック要素と回転可能要素が係合すると、ロック装置は、ロック状態となり、ロック要素と回転可能要素が係合解除されると、ロック装置は、自由状態となる。ロールが係合解除状態から係合状態に移動すると、ロールの第１端部は、ロック装置を自由状態に移動させ、それによって回転可能要素の回転を可能にする。
【０１１７】
ロック要素と回転可能要素は、ロック要素及び回転可能要素が、回転可能要素の回転軸に沿った方向に互いに向かって相対移動することによって係合するように構成されてもよい。
【０１１８】
一部の実施形態では、ロールがハウジングに装填されると、回転可能要素の回転軸は、ロールの回転軸に沿って設けられる。加えて、一部の実施形態では、ロールをディスペンサハウジングに装填するために、ロールの長手方向軸に沿った方向に取り付け部に向かって力を加えて、ロールを取り付け部に固定する。このようにして、ロールを取り付け部に装填するためのロールの軸方向移動（すなわち、回転可能要素の回転軸にも沿っているロールの回転軸に沿った移動）を使用して、ロック要素と回転可能要素を互いに係合解除することができ、それにより、回転可能要素が回転するのが自由になる。
【０１１９】
回転可能要素とロック要素は、ロック要素及び回転可能要素が回転可能要素の回転軸に沿った方向に互いに向かって相対移動することによって係合するように構成されているため、ロールの移動を使用して、回転可能要素とロック要素との係合を解除することができる。この構成は、ロールによって加えられる力の方向を、異なる方向、例えば、ロック要素と回転可能要素との係合を解除するために、ロールの長手方向軸を横切る又は回転可能要素の回転軸を横切る方向の力に変換することを必要としない。このようにして、より堅牢なロック装置が提供される。
【０１２０】
ブロック装置とロック装置の両方を備える実施形態では、材料のロールを取り付け部に装填する行為は、回転可能要素を自由に回転させるロック装置のロック解除と、傾斜部材をその枢動軸を中心に自由に回転させるブロック装置のブロック解除と、の２つの効果をもたらすことができる。換言すると、ユーザによる単一の行為が結果として取り付け部において２つの効果をもたらす。
【０１２１】
ブロック装置は、ブロック装置をブロック状態から非ブロック状態に移動させるために、ロールの第１端部によって作動可能なブロッキング要素を備えることができる。ロック要素及びブロッキング要素は、同じ構成要素によって構成されてもよい。
【０１２２】
ブロック装置は、ブロック装置をブロック状態から非ブロック状態に移動させるためにロールの第１端部によって作動可能なブロッキング要素を備えることができる。回転可能要素及びブロッキング要素は、同じ構成要素によって構成されてもよい。
【０１２３】
本発明の第１５の態様によると、シート材料のロールと、ロールを受け入れるためのハウジングと、を有するシートディスペンサ用の取り付けシステムが提供され、本取り付けシステムは、キーを組み込んだロールの第１端部と、ロールの第１端部を支持するように配置された対応する取り付け部及びロールの第２端を支持するように配置された支持部と、備え、取り付け部は、取り付け部と支持部とハウジング内でロールを支持するように位置調整されている動作位置と、取り付け部と支持部とハウジング内でロールの支持を阻止するように位置調整されていない装填位置とを規定するように枢動可能に配置された傾斜部材を備え、取り付け部は、装填位置から動作位置への傾斜部材の移動が阻止されるブロック状態と、装填位置から動作位置への傾斜部材の移動が許可される非ブロック状態との間で移動可能なブロック装置を備え、取り付け部は、キーが取り付け部と係合する係合状態と、キーが取り付け部から係合解除される係合解除状態との間で第１端部が移動可能なように配置され、それにより、ロールの第１端部が係合解除状態から係合状態に移動すると、第１端部がブロック装置を非ブロック状態に移動させ、それによって装填位置から動作位置への傾斜部材の移動が可能になる。
【０１２４】
本発明の第１６の態様によると、シート材料のロールを受け入れるためのハウジングを備え、ロールがキーを組み込んだ第１端部を備える、シートディスペンサが提供され、ハウジングが、ロールの第１端部を支持するように構成された取り付け部及びロールの第２端を支持するように構成された支持部を備え、取り付け部は、取り付け部と支持部がハウジング内でロールを支持するように位置調整されている動作位置と、取り付け部と支持部がハウジング内でロールの支持を阻止するように位置調整されていない装填位置と、を規定するようにハウジングに枢動可能に連結された傾斜部材を備え、取り付け部は、装填位置から動作位置への傾斜部材の移動が阻止されるブロック状態と、装填位置から動作位置への傾斜部材の移動が許可される非ブロック状態との間で移動可能なブロック装置を備え、取り付け部は、キーが取り付け部に係合する係合状態と、キーが取り付け部から係合解除される係合解除状態との間でロールが移動可能なように配置され、それにより、ロールが係合解除状態から係合状態に移動すると、ロールの第１端部がブロック装置を非ブロック状態に移動させ、それによって装填位置から動作位置への傾斜部材の移動が可能になる。
【０１２５】
取り付け部は、ロック状態と自由状態との間で移動可能なロック装置をさらに備えることができる。ロック装置は、軸を中心に回転するように構成された回転可能要素と、回転可能要素と係合して回転可能要素の回転を阻止するように構成されたロック要素と、を備え、ロック要素と回転可能要素が係合すると、ロック装置は、ロック状態となり、ロック要素と回転可能要素が係合解除されると、ロック装置は、自由状態となる。ロールが係合解除状態から係合状態に移動すると、ロールの第１端部は、ロック装置を自由状態に移動させ、それによって回転可能要素の回転を可能にする。
【０１２６】
ロールは、キーを有する第１端部を備えてもよく、キーは、ロールの第１端部の軸方向端面に１つ又は複数の窪み又は凹部を備える。１つ又は複数の窪み又は凹部は、ディスペンサハウジングの取り付け部によって提供される１つ又は複数の対応する構造を受け入れるように構成されてもよい。
【０１２７】
本発明の第１７の態様によると、本発明の第１６の態様によるシートディスペンサで使用するための材料の交換用ロールが提供される。
【０１２８】
材料の交換用ロールは、ブロック装置が非ブロック状態にあるときにシートディスペンサの取り付け部によって支持されるように配置された１つ又は複数の取り付け構造を備えることができる。
【０１２９】
本発明の第１８の態様によると、本発明の第１６の態様によるシートディスペンサと、材料の交換用ロールと、を備えるシートディスペンサシステムが提供される。材料の交換用ロールは、ブロック装置が非ブロック状態にあるときにシートディスペンサの取り付け部によって支持されるように配置された１つ又は複数の取り付け構造を備えることができる。
【０１３０】
交換用ロールは、１つ又は複数の取り付け構造を備えることができ、ディスペンサの取り付け部は、交換用ロールの１つ又は複数の取り付け構造を支持するように構成された１つ又は複数の相補的な構造を備えることができる。交換用ロールの構造の１つ又は複数は、シートディスペンサの取り付け部の１つ又は複数の相補的な構造に取り付けられてもよい。
【０１３１】
本発明の第１９の態様によると、本発明の第１６の態様によるシート材料の交換用ロールをシートディスペンサに取り付ける方法が提供され、本方法は、ａ）ブロック装置が、装填位置から動作位置への傾斜部材の移動が許可される非ブロック状態に移動するように、キーを係合解除状態から係合状態に移動させるステップと、ｂ）交換用ロールの第１端をディスペンサの取り付け部に取り付けるステップと、を含む。
【０１３２】
本発明の第２０の態様によると、本発明の第１６の態様によるシートディスペンサからシート材料のロールを除去する方法が提供され、シートディスペンサの取り付け部が傾斜部材を装填位置に向かって付勢するように構成された付勢機構を備え、本方法は、ａ）ハウジングの取り付け部からシート材料のロールを取り外すステップと、ｂ）傾斜部材が付勢機構の付勢作用の下で動作位置から装填位置に移動するように、傾斜部材を移動のために解放するステップと、を含む。
【０１３３】
本発明の第２１の態様によると、本発明の第１６の態様によるシートディスペンサからシート材料のロールを除去する方法が提供され、シートディスペンサの取り付け部がブロック装置をブロック状態に付勢するように配置された付勢機構を備え、本方法は、ａ）シート材料のロールをハウジングの取り付け部から取り外すステップと、ｂ）ブロック装置が、付勢機構の付勢作用の下で、装填位置から動作位置への傾斜部材の移動が阻止されるブロック状態に移動するように、ブロック装置を移動のために解放するステップと、を含む。
【０１３４】
本発明の第２２の態様によると、本発明の第１６の態様によるシートディスペンサで使用するための材料の交換用ロールが提供され、材料の交換用ロールは、ブロック装置が非ブロック状態にあるとき及び／又はロック装置が自由状態にあるとき、シートディスペンサの取り付け部によって支持されるように配置された１つ又は複数の取り付け構造を含む。
【０１３５】
本発明の第２３の態様によると、本発明の第１６の態様によるシートディスペンサと、材料の交換用ロールと、を備えるシートディスペンサシステムが提供され、材料の交換用ロールは、ブロック装置が非ブロック装置にあるとき及び／又はロック装置が自由状態にあるとき、シートディスペンサの取り付け部によって支持されるように構成された１つ又は複数の取り付け構造を含む。
【０１３６】
本発明の第２４の態様によると、本発明の第１６の態様によるシート材料の交換用ロールをシートディスペンサに取り付ける方法が提供され、本方法は、ａ）キーを係合解除状態から係合状態に移動させ、それにより、ブロック装置が、装填位置から動作位置への傾斜部材の移動が許可される非ブロック状態に移動するステップ、及び／又は、ｂ）ロック装置が、回転可能要素の回転が許可される自由状態に移動するように、キーを係合解除状態から係合状態に移動させ、交換用ロールの第１端をディスペンサの取り付け部に取り付けるステップを含む。
【０１３７】
本発明の第２５の態様によると、本発明の第１６の態様によるシートディスペンサからシート材料のロールを除去する方法が提供され、シートディスペンサの取り付け部は、ロック装置をロック状態に付勢するように配置された付勢機構を備え、本方法は、ａ）シート材料のロールをハウジングの取り付け部から取り外すステップと、ｂ）ロック装置が、付勢機構の付勢作用の下で、回転可能要素の回転が阻止されるロック状態に移動するように、ロック装置を移動のために解放するステップと、を含む。
【０１３８】
本発明の第２６の態様によると、本明細書に開示されたシートディスペンサで使用するための材料のロールが提供され、本ロールは、キーを有する第１端部を備え、キーがロールの第１端部の軸方向端面に１つ又は複数の窪み又は凹部を含み、１つ又は複数の窪み又は凹部が、ディスペンサハウジングの取り付け部によって提供される１つ又は複数の対応する構造を受け入れるように構成されている。
【０１３９】
本発明の第２７の態様によると、開示されたシートディスペンサでのシート材料の交換用ロールの使用法が提供され、交換用ロールは、１つ又は複数の取り付け構造を備え、ディスペンサの取り付け部は、交換用ロールの１つ又は複数の取り付け構造を支持するように構成された１つ又は複数の相補的な構造を備え、本使用法は、シートディスペンサの取り付け部の１つ又は複数の相補的な構造に交換用ロールの１つ又は複数の構造を取り付けることを含む。
【０１４０】
もちろん、本明細書に開示された任意選択的な特徴は、本発明の任意の態様に適用することができることが理解されよう。本明細書では、簡潔にするために、考えられるすべての組み合わせを列挙しているわけではない。
【０１４１】
ここで、本開示の実施形態を、添付の図面を参照して、単なる例として説明する。
【図面の簡単な説明】
【０１４２】
【図１】本開示によるシートディスペンサの斜視図である。
【図２】図１のディスペンサで使用するためのロールの第１端の斜視図である。
【図３ａ】取り付け部が装填位置にあるときの、図１のディスペンサの取り付け部の拡大図である。
【図３ｂ】図３ａの取り付け部の分解図である。
【図３ｃ】取り付け部が装填位置にあるときの、線Ａ−Ａを通る図３ａの取り付け部の断面図である。
【図４ａ】図３ａの取り付け部の一部の拡大図である。
【図４ｂ】図３ａの取り付け部の一部の拡大図である。
【図５】ブロック装置を見ることができる、線Ｂ−Ｂを通る図３ａの取り付け部の断面図である。
【図６】線Ｃ−Ｃを通る図３ａの取り付け部の断面側面図である。
【図７ａ】図３ａの取り付け部の回転可能部である。
【図７ｂ】図３ａの取り付け部のロック要素／ブロッキング要素である。
【図７ｃ】ロック状態にあるときの図３ａの取り付け部のロック装置である。
【図７ｄ】自由状態にあるときの図３ａの取り付け部のロック装置である。
【図８ａ】ロールが図１のディスペンサに装填されるときの図３ａの取り付け部の動作であり、図３ａの線Ａ−Ａを通る断面図として示されている。
【図８ｂ】ロールが図１のディスペンサに装填されるときの図３ａの取り付け部の動作であり、図３ａの線Ａ−Ａを通る断面図として示されている。
【図８ｃ】ロールが図１のディスペンサに装填されるときの図３ａの取り付け部の動作であり、図３ａの線Ａ−Ａを通る断面図として示されている。
【図８ｄ】ロールが図１のディスペンサに装填されるときの図３ａの取り付け部の動作であり、図３ａの線Ｂ−Ｂを通る断面図として示されている。
【図８ｅ】ロールが図１のディスペンサに装填されるときの図３ａの取り付け部の動作であり、図３ａの線Ｂ−Ｂを通る断面図として示されている。
【図８ｆ】ロールが装填された図１のディスペンサである。
【図９ａ】動作位置から装填位置に戻る線Ｂ−Ｂを通る図３ａの取り付け部である。
【図９ｂ】動作位置から装填位置に戻る線Ｂ−Ｂを通る図３ａの取り付け部である。
【図１０ａ】ロールの第１端部及び取り付け部の回転可能要素の代替の実施形態の断面図である。
【図１０ｂ】ロールの第１端部及び取り付け部の回転可能要素の代替の実施形態の断面図である。
【図１１ａ】ロールの第１端部のキー及び対応する取り付け部のキー孔の代替の実施形態の斜視図である。
【図１１ｂ】ロールの第１端部のキー及び対応する取り付け部のキー孔の代替の実施形態の斜視図である。
【図１１ｃ】ロールの第１端部のキー及び対応する取り付け部のキー孔の代替の実施形態の斜視図である。
【図１１ｄ】ロールの第１端部のキー及び対応する取り付け部のキー孔の代替の実施形態の斜視図である。
【図１１ｅ】ロールの第１端部のキー及び対応する取り付け部のキー孔の代替の実施形態の斜視図である。
【図１１ｆ】ロールの第１端部のキー及び対応する取り付け部のキー孔の代替の実施形態の斜視図である。
【図１１ｇ】ロールの第１端部のキー及び対応する取り付け部のキー孔の代替の実施形態の斜視図である。
【発明を実施するための形態】
【０１４３】
図１及び図２を参照すると、シート材料４のロールと共に使用するためのシートディスペンサ２が示されている。ディスペンサ２は、シート材料４の正しいロールを受け入れるためのハウジング６を有する。ハウジング６は、ロール４の筐体を形成するために形状が実質的に矩形であり、ロール４をハウジング６に位置決めし、ハウジング６から除去することができ、ロール４からのシート材料を供出することができる開口部８を有する。
【０１４４】
ディスペンサ２は、シート材料１４がディスペンサ２から供出されるときにシート材料１４をロール４から切断するための切断機構を組み込んだ蓋（図示せず。）をさらに備えてもよい。したがって、ディスペンサ２が正しく動作するためには、ハウジング６内にロール４を正しく装填することが必要であることが理解されよう。
【０１４５】
図２に示すように、ロール４は、本体１２を備える。例えばフードラップの形態のシート材料１４は、ロール本体１２の周囲に巻き付けられる。シート材料のロール４は、キー１６ａを組み込んだ第１端部１６と、第２端２０（図８ｆに示す。）と、を含む。
【０１４６】
ディスペンサハウジング６は、ロール４の第１端部１６を支持するように配置された取り付け部１０を含む。ハウジング６は、図８ｆに示すように、ロール４の第２端２０を支持するように配置された支持部１８も含む。
【０１４７】
図３ａ、図３ｂ及び図３ｃを参照すると、取り付け部１０は、ハウジング６に枢動可能に連結された傾斜部材２２を含む。図３ｂに示すように、傾斜部材２２は、枢動ピン２４を介してハウジング６に枢動可能に連結されている。傾斜部材２２は、動作位置及び装填位置を規定するように構成されている。
【０１４８】
動作位置は、図８ｅに示されている。傾斜部材２２が動作位置にあるとき、取り付け部１０及び支持部１８は、図８ｆに示すように、ロール４がハウジング６内で支持され得るように、同軸上に位置調整される。換言すると、動作位置では、ロール４は、シート材料１４をロール４から供出することができるように、ハウジング６に取り付けることができる。
【０１４９】
装填位置は、図８ａに示されている。図１に見られるように、傾斜部材２２が装填位置にあるとき、取り付け部１０と支持部１８は、位置調整されていない。したがって、装填位置では、ハウジング６内でのロール４の支持が阻止される。
【０１５０】
取り付け部１０の傾斜部材２２は、図８ａ〜図８ｅに示すように、ロール４の第１端部１６を支持するように配置されている。
【０１５１】
図３ｃを参照すると、取り付け部１０は、ブロック状態と非ブロック状態との間で移動可能なブロック装置２６を含む。ブロック状態では、（図３ａに示すような）装填位置から（図９ａに示すような）動作位置への傾斜部材２２の移動が阻止される。対照的に、非ブロック状態では、傾斜部材２２の装填位置から動作位置への移動が許可される。
【０１５２】
取り付け部１０は、ロール４が係合状態と係合解除状態との間で移動可能となるように配置されている。係合状態では、図８ｃに示すように、第１端部１６のキー１６ａが取り付け部１０に係合している。係合解除状態では、図８ａに示すように、キー１６ａは、取り付け部１０から係合解除されている。取り付け部１０は、ロール４が係合解除状態から係合状態に移動すると、キー１６ａがブロック装置２６を非ブロック状態に移動させるように構成されており、この非ブロック状態で、傾斜部材２２の装填位置から作動位置への移動が許可される。
【０１５３】
再び図１及び図８ｆを参照すると、取り付け部１０と支持部１８との位置調整は、ハウジング６の長手方向軸に沿った位置調整を含む。換言すると、ロール４がディスペンサ２に装填されると、取り付け部１０と支持部１８は、ロール４の長手方向軸に沿って位置調整される。
【０１５４】
取り付け部１０は、ブロック装置２６をブロック状態に付勢するように構成された付勢機構、例えば圧縮ばね２８を含む。これを図３ｃに示す。
【０１５５】
ブロック装置２６は、ブロック装置２６をブロック状態から非ブロック状態に移動させるために、ロール４の第１端部１６のキー１６ａによって作動させるように構成されたブロッキング要素３０を含む。
【０１５６】
傾斜部材２２は、枢動ピン２４を中心に回転するように構成され、傾斜部材２２をその装填状態からその動作状態に移動させる。したがって、傾斜部材２２は、装填状態から動作状態に移動するときに、回転円弧を通って移動する。図示する実施形態では、キー１６ａによるブロッキング要素３０の作動は、装填位置と動作位置との間で回転するときの、傾斜部材２２の回転円弧の接線に実質的に沿った方向へのブロッキング要素３０の移動を含む。
【０１５７】
図３ａ、図３ｂ及び図３ｃを参照すると、傾斜部材２２は、傾斜部材が動作位置にあるとき、ハウジングの長手方向軸に実質的に直交する方向に延出する表面３２を含む。したがって、キー１６ａによるブロッキング要素３０の作動は、傾斜部材２２の表面３２に対して実質的に垂直な方向へのブロッキング要素３０の移動を含むことが理解されよう。
【０１５８】
図４ａ、図４ｂ及び図５に詳細に示すように、ブロック装置２６は、ブロッキング構造３４をさらに備える。図５に示すように、ブロッキング要素３０は、ブロッキング構造３４と係合するように構成されている。この係合は、傾斜部材２２のその枢動軸を中心とした、すなわち枢動ピン２４を中心とした移動を阻止する。したがって、装填位置から動作位置への傾斜部材２２の移動が阻止される。
【０１５９】
図８ｂ及び図８ｃに見られるように、ブロッキング要素３０は、キー１６ａによる作動が、ブロック装置２６をブロック状態から非ブロック状態に移動させるように構成されている。ブロッキング要素３０の作動は、傾斜部材の枢動点２４を中心とした回転を可能にするために、ブロッキング構造３４との係合から外れるブロッキング要素３０の移動を含む。ブロッキング構造３４とブロッキング要素３０を係合すると、この係合は、装填状態から動作状態への傾斜部材２２の回転に対するストッパとして作用する。
【０１６０】
取り付け部１０は、圧縮ばねロケータ３６も含み、これに圧縮ばね２８が取り付けられ、ブロッキング要素３０を付勢してブロッキング構造３４と係合させるのに最適な位置に圧縮ばね２８を位置付ける。
【０１６１】
圧縮ばね２８は、図３ｃ及び図８ｂに示すように、ブロッキング要素３０と係合するように位置決めされ、それによりブロッキング要素３０を付勢して傾斜部材２２の後面４２と係合させる。圧縮ばね２８はまた、ブロッキング要素を付勢してブロッキング構造３４と係合させ、傾斜部材２２を装填位置に保持するように作用する。別の言い方をすると、ブロック装置２６は、装填状態と動作状態との間での傾斜部材２２の移動が阻止又は防止されるブロック構成に付勢される。
【０１６２】
図４ａ及び図４ｂに示すように、ブロッキング構造３４は、ブロック装置２６がブロックされた状態にあるときにブロッキング要素３０と係合するように位置決めされた一対のストッパ部３４を備える。
【０１６３】
ブロッキング要素３０は、ブロッキング要素３０の本体４０から延出する一対の翼部分３８（図３ｂ、図５及び図７ｂを参照）を含む。翼部分３８のそれぞれは、ブロッキング要素３０の移動を阻止するために、ストッパ部３４のそれぞれ１つと係合するように構成されている。図５に示すように、傾斜部材２２を装填位置から動作位置に移動させようとする力が傾斜部材２２に加えられた場合、ブロッキング要素３０の翼部分３８は、図５の矢印によって示すように、取り付け部１０のブロッキング構造３４に当接する。このようにして、装填位置から動作位置への傾斜部材２２の移動がブロッキング装置２６によって阻止される。
【０１６４】
任意の適切な数のストッパ部３４及びそれぞれの翼部分３４、例えば、１、２、３、４、５、６又はそれ以上が使用されてもよいことが理解されよう。
【０１６５】
取り付け部１０は、ブロッキング要素３０がブロッキング構造３４との係合から外れるように及び係合するように移動するときに、ブロッキング要素３０の移動を案内するように作用するガイド要素４４、４６を備える。図５及び図７ｂに示すように、ガイド要素４４、４６は、ブロッキング機構３０の本体４０から延出する一連のガイド要素４４を含む。これらのガイド要素４４は、取り付け部１０の傾斜部材２２からの延出部、例えば、傾斜部材２２の後面４２からの延出部として提供される（図５に示すように）ガイド要素４６に対応するように配置されている。
【０１６６】
ブロッキング部材３０を移動させてブロック装置２６をブロック解除すると、ブロッキング機構３０のガイド部材４４が傾斜部材２２のガイド要素４６に対して摺動して、ブロッキング構造３４に対するブロッキング要素３０の正確な位置決めを容易にする。このようにして、ブロッキング要素３０とブロッキング構造３４との係合及び係合解除が容易になり、それによって、より堅牢なブロック装置２６が提供される。
【０１６７】
図６を参照すると、取り付け部１０は、１つ又は複数のストッパ要素４８を備える。これらのストッパ要素４８は、傾斜部２２が動作位置と装填位置との間を移動するときに傾斜部２２が回転することができる角度を制限するように配置されている。図示する実施形態では、取り付け部１０は、傾斜部材２２の側面５０から延出してハウジング６の後面５２と係合する単一のストッパ要素４８を備える。任意の数のストッパ要素４８を使用することができ、例えば、２、３、４又はそれ以上のストッパ要素を使用して、傾斜部が回転することができる角度を設定することができることが理解されよう。
【０１６８】
図５を参照すると、ハウジング６はまた、傾斜部材２２が動作位置にあるときに傾斜部材２２が静止するように構成されたリップ５４を備える。このリップ５４の位置は、ロール４がディスペンサ２で使用されているときに、ロールをハウジング６に支持するのに必要な正しい角度で傾斜部材２２を保持する働きをする。
【０１６９】
図２を参照すると、キー１６ａは、１つ又は複数の突起５６を含む。図３ａに示すように、対応するキー孔５８は、取り付け部１０によって画定される。キー孔５８は、キー１６ａの突起を受け入れて、ロール４の一方の端部を支持するように構成されている。多数の突起及び対応するキー孔が使用されてもよく、例えば、単一の突起及び対応するキー孔が使用されてもよいことが理解されよう。あるいは、２、３、４又はそれ以上の突起及び対応するキー孔を使用することもできる。図示する実施形態では、傾斜部材２２は、キー孔５８を含む。
【０１７０】
図３ａから分かるように、キー孔５８は、傾斜部材２２の表面３２に設けられている。図３ａに示す実施形態では、キー孔５８は、回転可能部材１０４に設けられ、これは、以下でさらに詳細に説明される。
【０１７１】
上記で概説した特徴に加えて、図示する実施形態の取り付け部１０は、ロック状態と自由状態との間で移動可能なロック装置１０２も備える。ロック装置１０２は、軸Ａを中心に回転するように配置された回転可能要素１０４を備える。
【０１７２】
ロック装置１０２は、図１〜図９ｂに示す実施形態では、ブロッキング要素３０によって構成されるロック要素を備える。代替の実施形態では、ブロック装置２６のブロッキング要素及びロック装置１０２のロック要素は、別個の構成要素によって構成されてもよいことが理解されよう。
【０１７３】
ロック要素３０は、回転可能要素１０４との係合が、回転可能要素１０４の回転を阻止するように構成されている。このようにして、ロック要素３０と回転可能要素１０４が係合すると、ロック装置１０２は、ロック状態となる。ロック要素３０と回転可能要素１０４が係合解除されると、ロック装置１０２は、自由状態となる。
【０１７４】
ロック要素３０と回転可能要素１０４は、ロック要素３０が回転可能要素１０４の回転軸Ａに沿った方向に、回転可能要素１０４に向かって相対移動することによって係合するように配置されている。換言すると、回転可能要素１０４とロック要素３０が互いに向かって、回転可能要素１０４の回転軸Ａに沿った方向に近づくと、ロック要素３０と回転可能要素１０４が互いに係合するようになる。このようにして、ロック装置１０２は、ロック状態となる。
【０１７５】
取り付け部１０は、ロック装置１０２をロック状態に付勢するように配置された付勢機構を備え、その状態において、回転可能要素１０４の回転が阻止される。付勢機構は、ブロック装置で使用されるもの、すなわち圧縮ばね２８と同じであってもよい。あるいは、ブロック装置２６及びロック装置１０２に対して別個の付勢機構を使用することができる。
【０１７６】
付勢機構２８は、ロック要素３０を付勢して回転可能要素１０４と係合させるように構成されている。
【０１７７】
取り付け部１０は、回転可能要素１０４が自由に回転するとき、ハウジング６内でのロール４の回転が許可されるように構成されている。換言すると、ロック装置１０２が自由状態にあるとき、ハウジング内でのロール４の回転が許可される。図示する実施形態では、回転可能要素１０４は、ロール４の第１端部１６を支持するように配置されている。これは、例えば、図８ｃに示されている。
【０１７８】
一部の実施形態では、ロック装置１０２が自由状態にあるとき、圧縮ばね２８の作用により、ロック要素３０が回転可能要素１０４に向かって付勢され、それにより、回転可能要素１０４の回転に対する抵抗が提供される。
【０１７９】
例えば、図７ａ及び図７ｂを参照すると、ロック要素３０の本体４０の側部４０ａは、回転可能要素１０４の内側面１０４ａと接触するように付勢されてもよく、それにより、側部４０ａと内側面１０４ａとの間の摩擦が、回転可能要素１０４の回転に対する抵抗をもたらす。これは、ユーザに触覚フィードバックを提供する際に有益である場合があり、また、回転可能要素１０４の望ましくない回転に起因してシート材料の自由端がディスペンサ内に引き込まれることを防止するのに有益である場合がある。
【０１８０】
したがって、圧縮ばね２８の、選択されたばね定数は、使用時に回転可能要素１０４の適切な回転を確実にするのに重要である。
【０１８１】
図１〜図９ｂに示す実施形態では、傾斜部材２２は、回転可能要素１０４を含む。図３ａに見られるように、回転可能要素は、傾斜部材の表面３２に設けられている。
【０１８２】
ロック要素３０は、軸Ａを中心とした回転に抗して固定される。ロック機構３０及び傾斜部材２２に設けられたガイド要素４４、４６の配置は、ロック部材３０の回転を阻止する働きをする。傾斜部材２２のガイド要素４６は、代替として又は加えて、取り付け部１０によって構成されてもよいことが理解されよう。さらに、取り付け部１０のロック構造３４とロック要素３０の翼部分３８との相互作用も、ロック部材３０の回転を阻止するように相互作用する。傾斜部材２２及び／又はハウジング６は、ロック要素３０の回転が阻止されるように成形することができる。当業者には、ロック要素３０の回転を阻止する任意の適切な手段を使用することができることが理解されよう。
【０１８３】
ロック要素３０及び回転可能要素１０４は、突起１０６及び対応する凹部１０８を含み、これらは、ロック要素３０が、回転可能要素１０４の回転軸Ａに沿った方向に回転可能要素１０４に向かって相対移動すると係合するように構成されている。このようにして、突起１０６が対応する凹部１０８と係合すると、回転可能要素１０４の回転が阻止される。ロック要素３０は、軸Ａを中心とした回転に抗して固定されているため、回転可能要素１０４がロック要素３０と係合すると、回転可能要素１０４も軸Ａを中心とした回転に抗してロックされる。
【０１８４】
ロック装置１０２は、ロック状態に対応する複数の構成を備える。換言すると、回転可能要素１０４の回転が阻止されるロック状態に対応する、ロック要素３０に対する回転可能要素１０４の複数の構成がある。図１〜図９ｂに示す実施形態では、複数の構成は、回転可能要素１０４及びロック要素３０に設けられた突起及び対応する凹部の配置によって規定される。
【０１８５】
ロック要素３０及び回転可能要素１０４は、複数の突起１０６及び複数の対応する凹部１０８を含み、これらは、ロック要素３０が、回転可能要素１０４の回転軸Ａに沿った方向に回転可能要素１０４に向かって相対移動すると係合するように構成されている。このようにして、突起１０６が対応する凹部１０８と係合すると、回転可能要素１０４の回転が阻止される。図示する実施形態では、複数の突起は、回転可能要素１０４によって構成され、複数の凹部は、ロック要素３０によって構成されている。あるいは、複数の突起がロック要素３０によって構成されてもよく、複数の対応する凹部が回転可能要素１０４によって構成されてもよい。
【０１８６】
突起１０６及び対応する凹部１０８は、回転可能要素１０４の回転軸Ａを中心とする円形配置で設けられている。このようにして、回転可能要素とロック要素３０が係合することができる複数の構成が存在する。
【０１８７】
さらに、突起１０６及び凹部１０８は、ロック要素３０及び回転可能要素１０４が接触するように付勢されるときに自動位置合わせするように配置されている。換言すると、圧縮ばね２８の作用、突起１０６及び凹部１０８の構成は、回転可能要素１０４とロック要素３０が互いに係合に向かう傾向があるものである。
【０１８８】
図１〜図９ｂに示す実施形態では、例えば、図７ａに示すように、複数の突起１０６は、回転可能要素１０４上の歯の列によって構成される。あるいは、そのような歯の列は、ロック要素３０上に設けられてもよい。図７ｂから分かるように、複数の凹部は、ロック要素３０に設けられたスプライン１１０の列のスプライン１１０間に設けられている。あるいは、スプライン１１０の列は、回転可能要素１０４上に設けられてもよい。
【０１８９】
一部の実施形態では、単一の突起１０６が、対応する凹部の列と共に設けられてもよい。あるいは、単一の凹部１０８が、対応する突起１０６の列と共に設けられてもよい。そのような構成はまた、ロック状態に対応する複数の構成を提供する。
【０１９０】
図７ｃを参照すると、ロック要素３０と回転可能要素１０４が係合する構成が示されている。見て分かるように、突起１０６は、凹部１０８と係合して、回転可能要素１０４とロック要素３０とを一緒にロックする。この構成では、回転軸Ａを中心とした回転可能部材１０４の回転が阻止又は防止される。
【０１９１】
図７ｄは、回転可能要素１０４とロック要素３０が係合されていない構成を示す。この構成では、突起１０６は、対応する凹部１０８と係合しておらず、したがって、軸Ａを中心とした回転可能要素１０４の回転が許可される。ロール４が回転可能要素１０４に取り付けられると、回転可能要素１０４の回転により、ロール４を回転させることができ、したがって、ディスペンサを使用することができる。
【０１９２】
図８ａ〜図８ｄに示すように、ロック要素３０は、係合解除位置から係合位置へのキー１６ａの移動によって、回転可能要素３０との係合から外れて引っ込むように構成されている。ロール４が（図８ａに示すように）係合解除状態から（図８ｃに示すように）係合位置に移動すると、キー１６ａがロック要素３０の一部に当接し、ロック要素３０を回転可能要素１０４から係合解除する。例えば、（図７ｂに示すような）ロック要素３０の本体４０の前面１１２は、係合解除状態から係合状態に移動すると、キー１６ａによって係合される。ロック要素の前面１１２は、例えば、図８ａに示すように、回転可能要素１０４の後面１１４に当接するように構成されている。
【０１９３】
前述したように、キー１６ａは、対応するキー孔５８によって受け取られるように配置された１つ又は複数の突起５６を含む。図３ａに示すように、キー孔５８は、回転可能要素１０４によって構成される。このようにして、ロール４は、回転可能要素１０４によって支持される。
【０１９４】
図８ａ〜図８ｆを参照して、ここで、ディスペンサ２へのシート材料４の正しいロールを装填するためのディスペンサ２の動作を説明する。シート材料のロール４の第１端１６は、取り付け部１０に対して配置される。次いで、ロール４の第２端１８が、支持部材１８に対して位置決めされる。
【０１９５】
ディスペンサ２に装填されるロールがない場合、傾斜部材２２は、装填位置にある。この構成では、傾斜部材２２のキー孔５８は、ユーザに向かって角度が付けられており、ロール４を取り付け部１０に装填するのを容易にする。
【０１９６】
ロール４の第１端が取り付け部１０に当接すると、ロール４のキー１６ａがキー孔５８に位置決めされる。このようにして、ロール４は、係合解除位置から係合位置に移動する。図８ａ〜図８ｃを参照すると、キー１６ａが係合解除状態から係合状態に移動すると、キー１６ａは、ロック要素３０の前面１１２に当接して、ロック要素３０を回転可能要素１０４から離すように、そして傾斜部材２２から離すように移動させる。この移動は、圧縮ばね２８の付勢作用に抗する。
【０１９７】
ロック要素３０がキー１６ａによって動かされると、ロック要素３０は、回転可能要素１０４との係合から外れるように動かされる。その結果、突起１０６と対応する凹部１０８は、回転可能部材１０４の回転が許可されるように係合を解除する。このようにして、ロック装置１０２は、ロック解除される。
【０１９８】
圧縮ばね２８の付勢作用に抗したロック要素３０の移動はまた、ロック要素３０の翼部分３８を、取り付け部１０のストッパブロック３４を越えて移動させる。これを図８ｄに示す。ストッパブロック３４と翼部分３８が係合解除されると、ブロック装置２６のブロックが解除され、それによって、枢動ピン２４を中心とした傾斜部材２２の回転が可能になる。このようにして、傾斜部材２２は、装填位置から動作位置への移動のために解放される。傾斜部材２２が枢動ピン２４を中心に回転すると、ロール４がハウジング６内に配置され、ロール４の第２端２０が支持部１８と接触するようになる。ロール４は、ここで、使用のためにディスペンサ２に装填される。
【０１９９】
キー又は正しい構成のキーを備えていないロールは、取り付け部１０と正しく係合せず、ブロック装置２６のブロックが解除されないことが理解されよう。これにより、ロールのハウジング６への取り付けが阻止される。さらに、キー又はキーの正しい構成を備えていないロールは、ロック装置１０２のロックを解除しない。その結果、回転可能要素１０４は、回転するのに自由ではないため、ロールの回転が防止される。
【０２００】
ロールを取り付け部１０と係合させるユーザの行為が、ロールをハウジングに装填することができるようにするブロック装置のブロック解除、及び、ロールを回転させることができるようにするロック装置のロック解除の２つの効果を有することも理解されよう。
【０２０１】
ユーザがシート材料のロール４を交換したい場合又はシート材料の正しいロールを別のロール４に変更したい場合、上述の動作を逆にすることによってハウジング６を占有しているロールを除去することができる。これは、図９ａ及び図９ｂに示されている。
【０２０２】
キー１６ａがキー孔５８から除去されると、すなわち、キー１６ａが係合位置から係合解除位置に移動すると、圧縮ばね２８の作用により、ロック要素３０が付勢されて回転可能部材１０４と係合する。このようにして、回転可能部材１０４の回転が阻止される。
【０２０３】
加えて、ロック要素３０に抗する圧縮ばね２８の作用により、ロック要素３０が傾斜部材２２の後面に向かって付勢される（傾斜部材２２の後面は、回転可能要素１０４の後面と同じであってもよく、そうでなくてもよい。）。これにより、傾斜部材２２が動作状態から装填状態に付勢される。ロック要素３０がこのように移動すると、翼部分３８は、ストッパブロック３４との係合状態に戻り、傾斜部材２２を装填位置に保持する。次いで、この装填位置で、ディスペンサ２は、新しいロール４が挿入される準備ができている。
【０２０４】
圧縮ばね２８のばね定数は、所定の値となるように選択される。本構成では、ばね定数は、約３Ｎとなるように選択されているが、ばね定数は、用途に適合するように変更されてもよい。これは、いくつかの利点を提供する。例えば、ばね定数の適切な選択により、確実に、ばねが重力に打ち勝って傾斜部材を動作位置から装填位置に戻すことができ、ロールをディスペンサに装填又は取り外すときに、ユーザに適切な触覚フィードバックを提供することができ、取り付け部を付勢してロールと係合させ、ロールをディスペンサハウジングに固定することができる。
【０２０５】
ばね定数の選択は、キーが取り付け部から取り外されるときにロック要素３０と回転可能部材１０４との係合を確実にし、材料の正しいロールが取り外されたときの回転可能部材の回転を制限するためにも有利である。
【０２０６】
本発明について１つ又は複数の実施形態を参照して説明してきたが、添付の特許請求の範囲で定義される本発明の範囲から逸脱することなく、様々な変更又は修正を加えることができることが理解されよう。例えば、図１〜図９ｂに示す実施形態は、ブロック装置２６及びロック装置１０２の両方を備えるが、ディスペンサは、これらの装置のうちの１つのみを含むことができるが理解されよう。
【０２０７】
図１０ａ及び図１０ｂに示す代替の実施形態では、第１端部２１６を有するロールが示される。第１端部は、窪み又は凹部２５６の形態のキー２１６ａが設けられた軸方向端面２６０を含む。
【０２０８】
取り付け部１０は、取り付け部１０の表面２６２、例えば、回転可能要素２０４の表面に形成された対応する構造２５８を含む。構造２５８は、キー２１６ａの窪み又は凹部２５６と係合するように構成されている。取り付け部１０の構造２５８がキー２１６の窪み又は凹部２５６に受け入れられている場合、図１０ｂに示すように、ロールは、係合状態にある。取り付け部１０の構造２５８がキー２１６の窪み又は凹部２５６を占有していない場合、ロールは、図１０ａに示すように、係合解除状態にある。
【０２０９】
ロールが係合状態にあるとき、第１端部２１６は、第１端部２１６の窪み又は凹部２５６を占める構造２５８によって支持されることが理解されよう。
【０２１０】
図１０ａと図１０ｂを比較することによって分かるように、ロールが係合解除状態から係合状態に移動すると、第１端部２１６の軸方向端面２６０は、取り付け部１０の構造２５８を取り囲む表面２６２と接触する。力がロールに加えられると、取り付け部１０の表面２６２は、構造２５８から離れるように押し下げられる。このようにして、構造２５８は、キー２１６ａの窪み又は凹部２５６を占有することができるように露出される。
【０２１１】
図１０ａ及び図１０ｂに示す実施形態では、取り付け部の構造２５８は、回転可能要素２０４に設けられている。そのような構成では、軸方向端面２６０による回転可能要素２０４の移動により、回転可能要素２０４がロック要素（図示せず。）との係合から外れるように移動する。例えば、ロック要素は、傾斜部材２２の後面４２、又は、取り付け部１０若しくはハウジング６の別の適切な部分によって提供されてもよい。そのような実施形態では、回転可能部材２０４は、その表面２６２上又は表面の側壁２６４上に突起及び／又は凹部（図示せず。）を含むことができ、そのような突起及び／又は凹部は、ロック要素の対応する凹部及び／又は突起と係合するように構成される。
【０２１２】
図１０ａ及び１０ｂに示す実施形態では、回転可能要素２０４は、ブロック部材として作用することができる。このような実施形態では、ロールの軸方向端面２６０による回転可能要素２０４の移動により、回転可能要素２０４がブロッキング構造（図示せず。）との係合から外れて移動し、それによって、ブロック装置のブロックが解除される。
【０２１３】
図１０ａ及び図１０ｂに示す実施形態では、取り付け部１０の構造２５８は、回転可能要素２０４によって構成されるが、構造２５８は、取り付け部１０の任意の適切な要素に設けられてもよいことが理解されよう。
【０２１４】
さらに、図１〜図９ｂに示す実施形態は、実質的に「Ｆ」字形状構造の突起５６を有するロールと、取り付け部１０に設けられた対応する形状のキー孔５８と、を含む。キー１６ａの突起５６の任意の適切な構造が使用されてもよいことが理解されよう。さらに、任意の適切な形状の１つ又は複数の突起５６を使用することができる。取り付け部の対応するキー孔５８が、そのようなキー構成を支持するために設けられてもよい。
【０２１５】
例えば、図１１ａ〜図１１ｃに示すように、キー１６ａは、例えば、円形断面（図１１ａ参照）、矩形断面（図１１ｂ参照）又は十字形断面（図１１ｃ参照）を有する単一の突起５６を含むことができる。任意の適切な断面を有する突起が使用されてもよいことが理解されよう。
【０２１６】
図１１ｄ及び図１１ｇは、キー１６ａが、ロールの端部から第１の深さだけ延出する第１の突起５６ａと、第２の突起５６ｂが第１の深さよりも大きい第２の深さだけロールから延出するように第１の突起５６ａから延出する第２の突起５６ｂと、を含む実施形態を示す。図１１ｄの実施形態では、第１の突起及び第２の突起の両方が六角形の断面を有し、これらの突起は、図示する実施形態では互いに角度的にずれている。第１及び第２の突起の断面は、角度的に位置調整されてもよいことが理解されよう。図１１ｇでは、第１の突起は、円形の断面を有し、第２の突起は、正方形の断面を有する。第１及び第２の突起は、任意の適切な断面を含むことができ、第１及び第２の突起は、同じ又は異なる断面を含むことができることが理解されよう。
【０２１７】
図１１ｅは、キー１６ａが、実質的にＬ字形の外形を有し、Ｌ字形の外形の長辺がロールから離れるように延出するように構成された一対の突起５６を備える実施形態を示す。
【０２１８】
最後に、図１１ｆは、キー１６ａが中空円筒形の外形を含む単一の突起５６を備える実施形態を示す。
【０２１９】
図１１ａ〜図１１ｇに示す実施形態は、取り付け部の回転可能部１０４によって構成されるキー孔５８を示すが、キー孔は、取り付け部又はディスペンサハウジングの任意の適切な部分によって構成されてもよいことが理解されよう。
【０２２０】
一部の実施形態では、ロール４の第１端に形成されたキー１６ａの形状及び／又は構成は、ロールのサイズ、ロール上の材料のタイプ及び／又はロールに関連する他の特性に対応する。それぞれのタイプのロールに適切なディスペンサは、対応するキー孔を有することが理解されよう。これにより、確実に、特定のディスペンサに正しいロールのみが装填され、ユーザが正しいロールを識別するのが簡単になる。
【０２２１】
例えば、ロールによっては、所与のディスペンサに対して長すぎたり又は短すぎたりする場合がある。一部の例では、ロールに装填される材料は、材料を供出するために、ディスペンサが十分に堅牢な切断機構を有することを必要とする特定の厚さのものである場合がある。したがって、特定のタイプのロールに特定のキー配置を提供することにより、正しいロールのみが所与のディスペンサに装填されることがさらに確実になる。
【図１】
2020533253.tif 000003
【図２】
2020533253.tif 000004
【図３ａ】
2020533253.tif 000005
【図３ｂ】
2020533253.tif 000006
【図３ｃ】
2020533253.tif 000007
【図４ａ】
2020533253.tif 000008
【図４ｂ】
2020533253.tif 000009
【図５】
2020533253.tif 000010
【図６】
2020533253.tif 000011
【図７ａ】
2020533253.tif 000012
【図７ｂ】
2020533253.tif 000013
【図７ｃ】
2020533253.tif 000014
【図７ｄ】
2020533253.tif 000015
【図８ａ】
2020533253.tif 000016
【図８ｂ】
2020533253.tif 000017
【図８ｃ】
2020533253.tif 000018
【図８ｄ】
2020533253.tif 000019
【図８ｅ】
2020533253.tif 000020
【図８ｆ】
2020533253.tif 000021
【図９ａ】
2020533253.tif 000022
【図９ｂ】
2020533253.tif 000023
【図１０ａ】
2020533253.tif 000024
【図１０ｂ】
2020533253.tif 000025
【図１１ａ】
2020533253.tif 000026
【図１１ｂ】
2020533253.tif 000027
【図１１ｃ】
2020533253.tif 000028
【図１１ｄ】
2020533253.tif 000029
【図１１ｅ】
2020533253.tif 000030
【図１１ｆ】
2020533253.tif 000031
【図１１ｇ】
2020533253.tif 000032
【国際調査報告】
2020533253.tif 000033
2020533253.tif 000034
2020533253.tif 000035